(57)【要約】【課題】    利便性に優れた画像保存サービスを提供することが可能な画像保存装置を提供することを目的とする。【解決手段】  画像保存装置６は、ネットワーク２を介してデジタルカメラ３から送信される画像データを保存するとともに、保存した画像データの登録履歴ＤＢを生成する画像保存手段と、ネットワーク２へのアクセスを監視する第一のアクセス管理装置５によって生成されたアクセス履歴ＤＢと、登録履歴ＤＢとに基づいて、デジタルカメラ３から画像保存装置６に画像データを送信したときに用いられた第一のＡＰ４を特定するとともに、ユーザーが第一のＡＰ４を管理するＡＰサービス事業者の会員登録を行っているかを特定し、会員登録を行っていない場合には、ダウンロード料に加えてＡＰ使用料を課金する課金処理手段とを備えている。【選択図】      図１
2007174056.tif 000002
【特許請求の範囲】
【請求項１】
ネットワークを介して画像生成手段から送信される画像データを受信し、受信した画像データを保存する画像保存装置であって、
前記画像データを保存するとともに、保存した画像データの登録履歴データを生成する画像保存手段と、
前記ネットワークへのアクセスを監視するアクセス管理手段によって生成されたアクセス履歴データと、前記登録履歴データとに基づいて、前記画像生成手段が前記ネットワークにアクセスしたときに用いたアクセスポイントを特定し、特定結果に応じて課金処理を実行する課金処理手段とを備えていることを特徴とする画像保存装置。
【請求項２】
前記課金処理手段は、前記画像生成手段が前記ネットワークにアクセスしたときに用いたアクセスポイントが、会員登録を行っているアクセスポイントサービス事業者が管理するアクセスポイントであるか否かを特定することを特徴とする請求項１に記載の画像保存装置。
【請求項３】
前記課金処理手段は、前記画像生成手段が前記ネットワークにアクセスしたときに用いたアクセスポイントが、会員登録を行っていないアクセスポイントサービス事業者が管理するアクセスポイントである場合に、アクセスポイント使用料を課金することを特徴とする請求項２に記載の画像保存装置。
【請求項４】
前記画像生成手段が前記ネットワークにアクセスしたときに用いたアクセスポイントが、前記画像生成手段が前記画像保存手段に画像データを送信したときに用いたアクセスポイントであることを特徴とする請求項１ないし３のいずれか１項に記載の画像保存装置。
【請求項５】
前記課金処理手段は、前記画像保存手段に保存された画像データがダウンロードされたときに、課金処理を実行することを特徴とする請求項１ないし４のいずれか１項に記載の画像保存装置。
【請求項６】
前記画像生成手段が、生成した画像データに基づいて前記画像データに比してデータ容量が小さい低解像度データを生成し、前記生成した画像データを前記画像保存手段に送信した後に、送信した画像データを削除することを特徴とする請求項１ないし５のいずれか１項に記載の画像保存装置。
【請求項７】
前記画像生成手段が、生成した画像データに基づいて暗号化データを生成し、前記暗号化データを前記画像保存手段に送信することを特徴とする請求項１ないし６のいずれか１項に記載の画像保存装置。
【請求項８】
コンピュータ装置を請求項１ないし７のいずれか１項に記載の画像保存装置として機能させるように構成されていることを特徴とするコンピュータプログラム。
【発明の詳細な説明】
【技術分野】
【０００１】
本発明は、ネットワークを介して画像生成手段から送信される画像データを受信し、受信した画像データを保存する画像保存装置およびコンピュータプログラムに関するものである。
【背景技術】
【０００２】
近年、インターネット上で大容量のデータを高速でやり取りすることが可能になったことにともない、デジタルカメラで生成した画像データを、インターネット上のサーバーが預かって保存する画像保存サービスが提供されるようになっている。
【０００３】
こうした画像保存サービスにおいては、デジタルカメラで撮影した画像の画像データを、インターネットを介してサーバーに送信することによって、サーバーの記録領域に保存することが可能である。また、保存された画像データは、いつでも、サーバーから読み出すことができるため、ユーザーは、読み出した画像データを、インターネットを介して画像表示装置に送信し、自由に観賞することが可能である（例えば、特許文献１ないし３参照）。
【０００４】
かかる画像保存サービスによれば、生成した画像データを、デジタルカメラに設けられている内部メモリや外付けのリムーバブルメモリなどの記録メディアに記録しておかなくても、保存することができるため、記録メディアの記録容量を気にしないで画像を撮影することが可能になり、また、デジタルカメラや記録メディアの紛失に備えて、インターネット上のサーバーの記録領域を、バックアップ用のメモリとして用いることも可能である。
【特許文献１】特開２００２−１２３６３７号公報
【特許文献２】特開２００２−２０９０４４号公報
【特許文献３】特開２００３−１０８４１９号公報
【発明の開示】
【発明が解決しようとする課題】
【０００５】
上述した画像保存サービスを利用するには、デジタルカメラを無線ＬＡＮや有線ＬＡＮなどの通信手段を用いてインターネットに接続することが不可欠であるため、ユーザーは、画像保存サービスの利用契約とは別に、インターネットへの接続サービスを提供するアクセスポイントサービス事業者（以下、「アクセスポイント」を「ＡＰ」と称する）とインターネット契約を結び、インターネットへの接続に必要なアクセス設定条件をデジタルカメラに入力する必要がある。
【０００６】
しかしながら、デジタルカメラに設けられている入力ボタンは、本来、文字を入力する目的で設計されたものではないため、ユーザーが手作業で、アクセス設定条件を入力するのはきわめて面倒である。
【０００７】
また、インターネットへの接続サービスは、接続サービスを利用するエリアによって、管理するＡＰサービス事業者が異なる場合があるため、ユーザーは、利用する通信手段が設置されているエリアを管理するＡＰサービス事業者を選択して、インターネット契約を結ぶことが必要である。
【０００８】
このため、例えば、インターネット契約を結んでいないＡＰサービス事業者が管理するエリアで画像を撮影する機会があり、撮影の直前に、インターネット契約に必要な作業を行う必要が生じることがあると、契約や設定のための作業に長時間を要して、撮影チャンスを逃してしまうおそれがある。
【０００９】
したがって、本発明の目的は、利便性に優れた画像保存サービスを提供することが可能な画像保存装置およびコンピュータプログラムを提供することにある。
【課題を解決するための手段】
【００１０】
本発明の前記目的は、ネットワークを介して画像生成手段から送信される画像データを受信し、受信した画像データを保存する画像保存装置であって、前記画像データを保存するとともに、保存した画像データの登録履歴データを生成する画像保存手段と、前記ネットワークへのアクセスを監視するアクセス管理手段によって生成されたアクセス履歴データと、前記登録履歴データとに基づいて、前記画像生成手段が前記ネットワークにアクセスしたときに用いたアクセスポイントを特定し、特定結果に応じて課金処理を実行する課金処理手段とを備えていることを特徴とする画像保存装置によって達成される。
【００１１】
本発明の前記目的はまた、コンピュータ装置を本発明の画像保存装置として機能させるように構成されていることを特徴とするコンピュータプログラムによって達成される。
【発明の効果】
【００１２】
本発明によれば、利便性に優れた画像保存サービスを提供することが可能になる。
【発明を実施するための最良の形態】
【００１３】
以下、添付図面に基づいて、本発明の好ましい実施形態につき、詳細に説明を加える。
【００１４】
図１は、本発明の好ましい実施形態にかかる画像保存システムの構成を示すブロックダイアグラムである。
【００１５】
図１に示されるように、本実施形態にかかる画像保存システム１は、デジタルカメラ３と、デジタルカメラ３およびネットワーク２を無線ＬＡＮ接続するための第一のＡＰ４と、第一のＡＰ４を経由したネットワーク２へのアクセスを管理するための第一のアクセス管理装置５と、デジタルカメラ３から送信される画像データを保存する画像保存装置６と、画像保存装置６に保存された画像を観賞するためのパーソナルコンピュータ（以下、「ＰＣ」という）７と、ＰＣ７およびネットワーク２を無線ＬＡＮ接続するための第二のＡＰ８と、第二のＡＰ８を経由したネットワーク２へのアクセスを管理するための第二のアクセス管理装置９と、口座への入金および口座からの出金を管理する口座管理装置１０とを備えている。
【００１６】
図１においては、便宜上、第一のＡＰ４および第二のＡＰ８の２つのＡＰのみが図示されているが、ネットワーク２には、第一のＡＰ４および第二のＡＰ８以外にも、複数のＡＰが接続されている。
【００１７】
本実施形態においては、第一のＡＰ４および第一のアクセス管理装置５、ならびに、第二のＡＰ８および第二のアクセス管理装置９は、それぞれ、第一のＡＰサービス事業者、第二のＡＰサービス事業者によって管理されている。したがって、第一のＡＰ４および第二のＡＰ８は、通常、第一のＡＰサービス事業者および第二のＡＰサービス事業者の会員登録を行ったユーザーのみが利用可能である。
【００１８】
また、画像保存装置６は、画像保存サービスを提供する保存サービス事業者によって管理されており、口座管理装置１０は、デジタルカメラ３およびＰＣ７のユーザー、第一のＡＰサービス事業者、第二のＡＰサービス事業者および保存サービス事業者の口座が開設されている銀行によって管理されている。
【００１９】
本実施形態において、保存サービス事業者は、第一のＡＰサービス事業者および第二のＡＰサービス事業者と会員登録を行っていないユーザーが、第一のＡＰ４および第二のＡＰ８を使用したときには、ＡＰを使用した分の使用料を支払う代わりに、保存サービス事業者の会員登録を行ったユーザーであれば、第一のＡＰ４および第二のＡＰ８を利用することができる旨の取りきめを、第一のＡＰサービス事業者および第二のＡＰサービス事業者との間で結んでいる。
【００２０】
本実施形態において、デジタルカメラ３のユーザーは、保存サービス事業者の会員登録を行っており、したがって、デジタルカメラ３のユーザーは、第一のＡＰサービス事業者および第二のＡＰサービス事業者の会員登録を行っているか否かと無関係に、第一のＡＰ４および第二のＡＰ８を利用することが可能である。
【００２１】
図２は、図１に示されたデジタルカメラ３の構成を示すブロックダイアグラムである。
【００２２】
図２に示されるように、デジタルカメラ３は、画像を撮像して画像データを生成する撮像部３１と、画像データに所定の信号処理を施す信号処理部３２と、無線ＬＡＮを介して第一のＡＰ４と無線接続するための第一の通信部３３と、画像を表示する表示部３４と、デジタルカメラ３全体を制御するＣＰＵ３５と、制御プログラムが格納されたＲＯＭ３６と、演算処理の際の記録領域として用いられるＲＡＭ３７と、画像データを記録する画像記録エリア３８ａや、画像管理データベース（以下、「データベース」を「ＤＢ」と称する）を記録する画像管理ＤＢ記録エリア３８ｂが設けられた内部メモリ３８と、デジタルカメラ３を操作するための操作部３９と、ＰＣ７と有線接続するための第二の通信部４０とを備えている。
【００２３】
信号処理部３２は、撮像部３１から出力される画像データに対して、ホワイトバランス処理、ガンマ補正処理などの所定の信号処理を施す他、信号処理の施された画像データを間引きし、原画像データに比して画素数を少なくした低解像度データを生成する。また、信号処理部３２は、低解像度データを生成すると同時に、所定の暗号化鍵を用いて、信号処理の施された画像データを暗号化し、暗号化データを生成する。こうして生成された低解像度データおよび暗号化データは、内部メモリ３８の画像記録エリア３８ａに記録される。
【００２４】
ＣＰＵ３５は、画像データを送信する際の送信動作を制御し、画像データを送信するに際して、内部メモリ３８の画像記録エリア３８ａに記録された暗号化データを読み出して、画像保存装置６に送信するとともに、送信した暗号化データを内部メモリ３８の画像記録エリア３８ａから削除する。
【００２５】
また、ＣＰＵ３５は、信号処理部３２によって、低解像度データおよび暗号化データが生成されたときに、低解像度データおよび暗号化データが生成された日時などを示す画像管理データを生成し、内部メモリ３８の画像管理ＤＢ記録エリア３８ｂに記録されている画像管理ＤＢに登録する。
【００２６】
図３は、画像管理ＤＢ記録エリア３８ｂに記録されている画像管理ＤＢを示す模式図である。図３に示されるように、画像管理ＤＢに登録される画像管理データは、画像ＩＤ情報、日時情報、低解像度データの格納先情報、低解像度データの削除フラグ、高解像度データの格納先情報および高解像度データの削除フラグによって構成されている。
【００２７】
画像ＩＤ情報は、撮影された画像に付される固有の識別子であり、日時情報は、画像ＩＤ情報によって示される画像データが生成された日時を示すデータである。
【００２８】
低解像度データの格納先情報は、低解像度データが格納されている場所を示すデータであり、暗号化データの格納先情報は、暗号化データが格納されている場所を示すデータである。画像が撮影された時点では、低解像度データおよび暗号化データは、内部メモリ３８の画像記録エリア３８ａに記録されるため、低解像度データの格納先情報および暗号化データの格納先情報は、図３に示されるように、内部メモリ３８を示す値、ならびに、画像記録エリア３８ａ内の低解像度データおよび暗号化データが記録されているアドレスを示す値に設定される。
【００２９】
低解像度データの削除フラグは、内部メモリ３８に記録された低解像度データを削除するか否かを示すフラグである。低解像度データの削除フラグは、低解像度データを削除すべきでないときに「ＯＦＦ」、低解像度データを削除すべきときに「ＯＮ」、実際に削除したときに「ＤＯＮＥ」に設定される。
【００３０】
暗号化データの削除フラグは、画像保存装置６に記録された暗号化データを削除するか否かを示すフラグである。暗号化データの削除フラグは、暗号化データを削除すべきでないときに「ＯＦＦ」、暗号化データを削除すべきときに「ＯＮ」、実際に削除したときに「ＤＯＮＥ」に設定される。暗号化データの削除フラグは、低解像度データの削除フラグの値が書き換えられたときに、それに同期して、値が書き換えられるように構成されており、例えば、低解像度データの削除フラグの値が「ＯＦＦ」から「ＯＮ」に書き換えられた場合には、暗号化データの削除フラグの値も「ＯＦＦ」から「ＯＮ」に書き換えられる。
【００３１】
画像が撮影された時点では、低解像度データの削除フラグおよび暗号化データの削除フラグは、図３に示されるように、いずれも「ＯＦＦ」に設定されている。
【００３２】
こうして生成される画像管理データは、デジタルカメラ３から画像保存装置６に暗号化データを送信する目的で、デジタルカメラ３が画像保存装置６にアクセスした場合には、暗号化データの送信時に、暗号化データとともに画像保存装置６に送信される。これに対して、デジタルカメラ３の内部メモリ３８または画像保存装置６の保存内容を整理する目的で、デジタルカメラ３が画像保存装置６にアクセスした場合には、画像管理データは、アクセス時に、画像管理データ単体で画像保存装置６に送信される。
【００３３】
さらに、本実施形態において、ＣＰＵ３５は、第二の通信部４０を介して、デジタルカメラ３とＰＣ７とが有線接続されたときに、低解像度データ、暗号化処理の際に用いられた暗号化鍵、および、画像管理データを、ＰＣ７に向けて送信するように機能する。
【００３４】
図４は、図１に示された第一のアクセス管理装置５および第二のアクセス管理装置９の構成を示すブロックダイアグラムである。
【００３５】
本実施形態において、第一のアクセス管理装置５および第二のアクセス管理装置９は、同一の構成を有しているため、以下においては、第一のアクセス管理装置５の構成についてのみ、説明を加える。
【００３６】
第一のアクセス管理装置５は、ネットワーク２に接続されるサーバー装置であり、ネットワーク２に接続可能な汎用コンピュータによって構成することができる。第一のアクセス管理装置５は、図４に示されるように、ネットワーク２と接続するための通信部５１と、第一のＡＰ４を経由したネットワーク２へのアクセスを管理するためのアクセス管理用プログラムを格納するＲＯＭ５２と、ＲＯＭ５２に格納されたアクセス管理用プログラムに従って、第一のアクセス管理装置５全体を制御するＣＰＵ５３と、ＲＡＭ５４と、アクセス履歴ＤＢを記録するアクセス履歴ＤＢ記録エリア５５ａが設けられたハードディスク（以下、「ＨＤ」という）５５と、キーボードやポインティングデバイスなどを有する入力インターフェース５６と、表示部５７とを備えている。
【００３７】
本実施形態において、第一のアクセス管理装置５は、アクセス管理用プログラムが実行されると、第一のＡＰ４を経由したネットワーク２へのアクセスを監視する。このとき、ユーザーが、第一のＡＰサービス事業者の会員登録時に付与されるＩＰアドレスと異なるＩＰアドレスを用いて、ネットワーク２へのアクセスを試みたことを検知した場合には、アクセスを試みたユーザーに対し、ＩＰアドレスを付与する。
【００３８】
第一のアクセス管理装置５を管理する第一のＡＰサービス事業者は、第一のＡＰサービス事業者の会員登録を行っているユーザーに付与するための複数のＩＰアドレスと、第一のＡＰサービス事業者の会員登録を行っていないユーザーに付与するための複数のＩＰアドレスとを、それぞれ、別個に準備している。このため、ユーザーが、会員登録時に付与するＩＰアドレスと異なるＩＰアドレスを用いて、アクセスを試みたときには、第一のアクセス管理装置５は、第一のＡＰサービス事業者の会員登録を行っていないユーザーに付与するために準備された複数のＩＰアドレスから任意に１つのＩＰアドレスを選択して、それをユーザーに付与する。
【００３９】
このようにして付与されるＩＰアドレスは、第一のＡＰ４を介して、デジタルカメラ３に送信される他、ネットワーク２を介して、画像保存装置６に送信される。なお、第一のＡＰサービス事業者の会員登録を行っているユーザーから、アクセスが試みられた場合には、デジタルカメラ３へのＩＰアドレスの送信は実行されず、ネットワーク２へのアクセスを許可すると同時に、アクセスの際に用いられたＩＰアドレスが、画像保存装置６に送信される。
【００４０】
かかるＩＰアドレスの付与処理および送信処理は、デジタルカメラ３で生成された暗号化データを画像保存装置６に保存するためにアクセスが試みられた場合に限らず、画像保存装置６に保存された画像を観賞するためや、画像を整理するためにアクセスが試みられた場合でも、同様にして、実行される。
【００４１】
また、本実施形態において、第一のアクセス管理装置５は、第一のＡＰ４を経由したネットワーク２へのアクセスが実行されたときに、アクセス日時などを示すアクセス管理データを生成し、ＨＤ５５のアクセス履歴ＤＢ記録エリア５５ａに記録されているアクセス履歴ＤＢに登録する。
【００４２】
図５は、アクセス履歴ＤＢ記録エリア５５ａに記録されているアクセス履歴ＤＢを示す模式図である。図５に示されるように、アクセス履歴ＤＢに登録されるアクセス管理データは、日時情報、会員情報およびＩＰアドレス情報から構成されている。
【００４３】
日時情報は、第一のＡＰ４を経由したネットワーク２へのアクセスが実行されたときの日時を示すデータであり、会員情報は、第一のＡＰサービス事業者の会員登録を行っているか否かを示すデータである。この会員情報は、第一のＡＰサービス事業者の会員登録を行っているユーザーが、ネットワーク２にアクセスしたときには、「会員」を示す値に設定され、一方、第一のＡＰサービス事業者の会員登録を行っていないユーザーが、ネットワーク２にアクセスしたときには、「非会員」を示す値に設定される。
【００４４】
ＩＰアドレス情報は、ネットワーク２にアクセスする際に用いられたＩＰアドレスを示すデータであり、第一のＡＰサービス事業者の会員登録を行っているユーザーが、ネットワーク２にアクセスしたときには、会員登録時に付与されたＩＰアドレスがＩＰアドレス情報として登録される。これに対して、第一のＡＰサービス事業者の会員登録を行っていないユーザーが、ネットワーク２にアクセスしたときには、ＩＰアドレス情報には、第一のアクセス管理装置５によって付与されたＩＰアドレスが登録される。
【００４５】
図６は、図１に示された画像保存装置６の構成を示すブロックダイアグラムである。
【００４６】
本実施形態において、画像保存装置６は、第一のアクセス管理装置５および第２のアクセス管理装置７と同様に、ネットワーク２に接続されるサーバー装置であり、ネットワーク２に接続可能な汎用コンピュータによって構成することができる。画像保存装置６は、図６に示されるように、通信部６１と、デジタルカメラ３から送信される暗号化データを管理するための画像管理用プログラムや、課金処理のための課金プログラムを格納するＲＯＭ６２と、ＲＯＭ６２に格納された画像管理用プログラムや課金プログラムに従って、画像保存装置６全体を制御するＣＰＵ６３と、ＲＡＭ６４と、ＨＤ６５と、入力インターフェース６６と、表示部６７とを備えている。図６に示されるように、画像保存装置６のＨＤ６５には、デジタルカメラ３から送信される暗号化データを記録するための暗号化データ記録エリア６５ａと、画像登録履歴ＤＢを記録するための画像登録履歴ＤＢ記録エリア６５ｂと、ＩＰアドレスＤＢを記録するためのＩＰアドレスＤＢ記録エリア６５ｃとが設けられている。
【００４７】
本実施形態において、画像保存装置６は、デジタルカメラ３からネットワーク２を介して、画像管理データが送信されると、送信された画像管理データに基づいて、画像登録データを生成し、ＨＤ６５の画像登録履歴ＤＢ記録エリア６５ｂに記録されている画像登録履歴ＤＢに登録するように構成されている。
【００４８】
図７は、画像登録履歴ＤＢ記録エリア６５ｂに記録されている画像登録履歴ＤＢを示す模式図である。図７に示されるように、画像登録履歴ＤＢに登録される画像登録データは、画像ＩＤ情報、ユーザー名情報、ＩＰアドレス情報および利用履歴情報から構成されている。
【００４９】
画像ＩＤ情報は、デジタルカメラ３から送信される画像管理データ中の画像ＩＤ情報がコピーされたデータであり、ユーザー名情報は、デジタルカメラ３のユーザーが保存サービス事業者の会員登録を行ったときに設定したユーザー名を示すデータである。
【００５０】
ＩＰアドレス情報は、デジタルカメラ３のユーザーがネットワーク２にアクセスしたときに、第一のアクセス管理装置５または第二のアクセス管理装置９から送信されるＩＰアドレスを示すデータである。本実施形態においては、ＩＰアドレスは、暗号化データを画像保存装置６に保存する場合に限らず、画像保存装置６に保存された画像を観賞する場合や画像を整理する場合にも、第一のアクセス管理装置５または第二のアクセス管理装置９から送信されるが、画像登録履歴ＤＢには、暗号化データを画像保存装置６に保存するときに送信されたＩＰアドレスのみが、ＩＰアドレス情報として登録される。
【００５１】
利用履歴情報は、ユーザーが画像保存装置６にアクセスしたときに行った処理を示す処理情報と、その処理を行った日時を示す日時情報とから構成されている。処理情報は、ユーザーが画像保存装置６にアクセスしたときに、暗号化データ記録エリア６５ａに暗号化データを保存した場合には、「保存」を示す値に設定され、また、ユーザーが暗号化データ記録エリア６５ａに記録された暗号化データをダウンロードしたときには、「ダウンロード」を示す値に設定される。これらに対して、ユーザーが暗号化データの保存またはダウンロード以外の目的で、画像保存装置６にアクセスしたときには、処理情報は「アクセス」を示す値に設定される。
【００５２】
一方、ＩＰアドレスＤＢ記録エリア６５ｃに記録されているＩＰアドレスＤＢは、画像登録履歴ＤＢとは異なり、画像保存装置６によって作成されるものではなく、保存サービス事業者によって準備され、ＨＤ６５に記録されるものである。
【００５３】
ＩＰアドレスは、第一のＡＰサービス事業者がユーザーに付与するＩＰアドレスと、第二のＡＰサービス事業者がユーザーに付与するＩＰアドレスとが重複しないようにするために、あらかじめ、第一および第二のＡＰサービス事業者のそれぞれに対して、使用可能なＩＰアドレスとして、互いに異なるＩＰアドレスが割り当てられている。
【００５４】
ＩＰアドレスＤＢ記録エリア６５ｃに記録されているＩＰアドレスＤＢは、ＩＰアドレスと、そのＩＰアドレスを使用することができるＡＰサービス事業者との対応関係を示すものであり、ＩＰアドレスＤＢには、ＡＰサービス事業者と、そのＡＰサービス事業者が使用可能なＩＰアドレスとが関連付けられて、ＩＰアドレス情報が登録されている。
【００５５】
また、本実施形態において、画像保存装置６は、ユーザーが、暗号化データ記録エリア６５ａに記録された暗号化データをダウンロードすると、ユーザーに対し、ダウンロード料を請求するとともに、ユーザーが使用したＡＰを管理するＡＰサービス事業者に対して、ＡＰ使用料を支払うための課金処理を実行するように機能する。
【００５６】
図８は、図１に示されたＰＣ７の構成を示すブロックダイアグラムである。
【００５７】
ＰＣ７は、画像保存装置６などと同様に、ネットワーク２に接続可能な汎用コンピュータによって構成でき、図８に示されるように、無線ＬＡＮを介して第二のＡＰ８と無線接続するための第一の通信部７１と、画像を観賞するための画像観賞用プログラムを格納するＲＯＭ７２と、画像観賞用プログラムを実行するＣＰＵ７３と、ＲＡＭ７４と、デジタルカメラ３と有線接続するための第二の通信部７５と、ＨＤ７６と、入力インターフェース７７と、表示部７８とを備えている。図８に示されるように、ＰＣ７のＨＤ７６には、デジタルカメラ３から送信される低解像度データおよび暗号化鍵を記録するための画像記録エリア７６ａと、画像管理データを記録するための画像管理ＤＢ記録エリア７６ｂとが設けられている。
【００５８】
本実施形態において、ＰＣ７は、第二の通信部７５を介して、デジタルカメラ３と有線接続されたときに、デジタルカメラ３から送信される画像管理データを受信し、その画像管理データを画像管理ＤＢ記録エリア７６ｂにコピーする。したがって、本実施形態においては、デジタルカメラ３とＰＣ７が接続されると、ＰＣ７のＨＤ７６には、デジタルカメラ３の内部メモリ３８に記録されている画像管理ＤＢと同一内容の画像管理ＤＢが記録される。
【００５９】
口座管理装置１０は、銀行に設置されている大型コンピュータなどによって構成されており、画像保存装置６からの指示に基づいて、デジタルカメラ３およびＰＣ７のユーザーの口座から保存サービス事業者の口座へのダウンロード料の支払い処理や、保存サービス事業者の口座から第一のＡＰサービス事業者または第二のＡＰサービス事業者の口座へのＡＰ使用料の支払い処理を実行する。
【００６０】
以上のような構成を有する画像保存システム１を用いて、以下のようにして、デジタルカメラ３によって撮影された画像が、画像保存装置６に保存され、その後、ＰＣ７によって、画像保存装置６に保存された画像がダウンロードされる。
【００６１】
図９は、デジタルカメラ３によって撮影された画像を、画像保存装置６に保存するメインルーチンを示すフローチャートである。
【００６２】
画像保存装置６に画像を保存するにあたっては、まず、デジタルカメラ３によって被写体が撮影され、撮像部３１および信号処理部３２によって、画像データが生成される（ステップＳ１）。ここに、撮影によって生成される画像データは、静止画像データおよび動画像データのいずれであってもよい。
【００６３】
次いで、信号処理部３２によって、画像データに基づき、低解像度データおよび暗号化データが生成される（ステップＳ２およびＳ３）。こうして生成された低解像度データおよび暗号化データは、デジタルカメラ３の内部メモリ３８に記録される。
【００６４】
低解像度データおよび暗号化データが、内部メモリ３８に記録されると、デジタルカメラ３のＣＰＵ３５によって、図３に示されるように、画像管理データが生成され、内部メモリ３８に記録される画像管理ＤＢに登録される（ステップＳ４）。
【００６５】
画像管理データが画像管理ＤＢに登録されると、暗号化データを、デジタルカメラ３から画像保存装置６に送信するために、デジタルカメラ３から第一のＡＰ４に対し、画像保存装置６をアクセス先として指定して、ネットワーク２へのアクセスが試みられる（ステップＳ５）。
【００６６】
ネットワーク２へのアクセスが試みられると、第一のアクセス管理装置５によって、アクセスの際に用いられたＩＰアドレスが、第一のＡＰサービス事業者の会員登録時に付与したＩＰアドレスであるか否かが判定される（ステップＳ６）。
【００６７】
アクセスの際に用いられたＩＰアドレスが、第一のＡＰサービス事業者の会員登録時に付与したＩＰアドレスでない場合には、第一のアクセス管理装置５によって、第一のＡＰサービス事業者の会員登録を行っていないユーザーに付与するために準備された複数のＩＰアドレスから任意に１つのＩＰアドレスが選択される。その後、選択されたＩＰアドレスがデジタルカメラ３に送信されて、デジタルカメラ３に付与されるとともに、付与されたＩＰアドレスでのネットワーク２へのアクセスが許可される（ステップＳ７）。
【００６８】
これに対して、アクセスの際に用いられたＩＰアドレスが、第一のＡＰサービス事業者の会員登録時に付与したＩＰアドレスである場合には、ＩＰアドレスの選択およびデジタルカメラ３への送信処理は実行されず、アクセスの際に用いられたＩＰアドレスでのネットワーク２へのアクセスが許可される。
【００６９】
なお、第一のＡＰサービス事業者の会員登録時に付与したＩＰアドレス以外のＩＰアドレスを用いてアクセスが試みられた場合に、画像保存装置６以外をアクセス先として指定しているときには、ＩＰアドレスの選択およびデジタルカメラ３への送信処理が実行されない他、ネットワーク２へのアクセスも拒絶される。
【００７０】
次いで、第一のアクセス管理装置５によって、画像保存装置６に向けて、ＩＰアドレスが送信される（ステップＳ８）。画像保存装置６にＩＰアドレスを送信するに際しては、アクセスの際に用いられたＩＰアドレスが、第一のＡＰサービス事業者の会員登録時に付与したＩＰアドレスでない場合には、第一のアクセス管理装置５によって付与されたＩＰアドレスが送信される。これに対して、アクセスの際に用いられたＩＰアドレスが、第一のＡＰサービス事業者の会員登録時に付与したＩＰアドレスである場合には、アクセスの際に用いられたＩＰアドレスがそのまま、画像保存装置６に送信される。
【００７１】
こうして、ネットワーク２へのアクセスが許可されると、デジタルカメラ３のＣＰＵ３５によって、画像管理ＤＢに登録されている画像管理データが読み出され、画像保存装置６に送信される（ステップＳ９）。本実施形態においては、画像管理データは、図３に示されるように、画像ＩＤ情報「ｘｘｘｘｘ」によって示される１つのデータが生成されているのみであるため、画像ＩＤ情報「ｘｘｘｘｘ」によって示される画像管理データが、新たに生成された画像管理データとして、画像保存装置６に送信される。
【００７２】
また、ネットワーク２へのアクセスが許可されたときには、画像保存装置６に保存すべき暗号化データが内部メモリ３８から読み出され、暗号化データを保存すべき旨の保存指示信号とともに、画像保存装置６に送信される（ステップＳ９）。
【００７３】
次いで、第一のアクセス管理装置５によって、図５に示されるように、アクセス履歴データが生成され、生成されたアクセス履歴データが、第一のアクセス管理装置５のＨＤ５５に記録されるアクセス履歴ＤＢに登録される（ステップＳ１０）。
【００７４】
こうして、第一のアクセス管理装置５から画像保存装置６に向けて、ＩＰアドレスが送信されるともに、デジタルカメラ３から画像保存装置６に向けて、暗号化データおよび画像管理データが送信されると、それらのデータが、画像保存装置６によって、受信される（ステップＳ１１）。
【００７５】
次いで、画像保存装置６によって、暗号化データが、画像保存装置６のＨＤ６５に記録されるとともに、図７に示されるように、画像登録データが生成されて、ＨＤ６５に記録される画像登録履歴ＤＢに登録される（ステップＳ１２およびＳ１３）。
【００７６】
ここでは、デジタルカメラ３によって生成された画像管理データの低解像度データの削除フラグおよび暗号化データの削除フラグが、いずれも、「ＯＦＦ」を示す値に設定されているので、画像保存装置６は、デジタルカメラ３から送信された画像管理データを受信したときに、ＨＤ６５に記録されている暗号化データを削除しないが、例えば、デジタルカメラ３側で、低解像度データを削除すべき操作がなされ、暗号化データの削除フラグの値が「ＯＮ」に書き換えられていた場合には、画像ＩＤ情報によって示される画像の暗号化データをＨＤ６５から削除する。
【００７７】
生成された画像登録データが画像登録履歴ＤＢに登録されると、画像保存装置６によって、図１０に示されるように、デジタルカメラ３から送信された画像管理データの暗号化データ格納先情報の値が、画像保存装置６のＨＤ６５を示す値、および、暗号化データ記録エリア６５ａ内の暗号化データが記録されているアドレスを示す値に書き換えられる（ステップＳ１４）。
【００７８】
次いで、画像保存装置６からデジタルカメラ３に向けて、暗号化データ格納先情報の値が書き換えられた画像管理データが送信されるとともに、暗号化データを保存した旨のメッセージ信号が送信される（ステップＳ１５およびＳ１６）。
【００７９】
次いで、デジタルカメラ３によって、画像保存装置６から送信された画像管理データに基づき、内部メモリ３８に記録された画像管理ＤＢの内容が、図１０に示される画像管理ＤＢと同一の内容に書き換えられるとともに、デジタルカメラ３の表示部３４に、暗号化データの保存が完了した旨のメッセージが表示される（ステップＳ１７およびＳ１８）。
【００８０】
こうして、デジタルカメラ３で生成された画像（暗号化データ）が、画像保存装置６に保存される。
【００８１】
デジタルカメラ３で生成された暗号化データが、画像保存装置６に記録されると、デジタルカメラ３の第二の通信部４０と、ＰＣ７の第二の通信部７５を介して、デジタルカメラ３とＰＣ７とが有線接続される（ステップＳ１９）。
【００８２】
次いで、デジタルカメラ３からＰＣ７に向けて、デジタルカメラ３の内部メモリ３８に記録された低解像度データ、暗号化処理の際に用いられた暗号化鍵、および、画像管理データが送信される（ステップＳ２０）。
【００８３】
次いで、ＰＣ７によって、デジタルカメラ３から送信された低解像度データおよび暗号化鍵が、ＰＣ７のＨＤ７６の画像記録エリア７６ａに記録されるとともに、デジタルカメラ３から送信された画像管理データに基づき、ＨＤ７６の画像管理ＤＢ記録エリア７６ｂに記録されている画像管理ＤＢの内容が、図１０に示される画像管理ＤＢと同一の内容に書き換えられる（ステップＳ２１）。
【００８４】
なお、デジタルカメラ３とＰＣ７との接続処理は、必ずしも、画像保存装置６への暗号化データの保存処理が終了した後に、直ちに実行される必要はなく、画像保存装置６に記録された暗号化データがダウンロードされる前であれば、いつの時点で実行されてもよい。
【００８５】
以上のようにして画像保存装置６に保存された暗号化データは、次のようにして、ＰＣ７にダウンロードされる。
【００８６】
図１１は、画像保存装置６に保存された暗号化データを、ＰＣ７にダウンロードするメインルーチンを示すフローチャートである。
【００８７】
画像保存装置６に保存された暗号化データをダウンロードするにあたっては、まず、ＰＣ７のＨＤ７６に記録された低解像度データが読み出され、ＰＣ７の表示部７８に、低解像度画像が表示される（ステップＳ３１）。
【００８８】
次いで、ユーザーによって、ＰＣ７の表示部７８に表示された低解像度画像が参照されて、画像保存装置６からのダウンロードを希望する画像が選択される（ステップＳ３２）。
【００８９】
ダウンロードを希望する画像が選択されると、ユーザーによって、ＰＣ７の入力インターフェース７７を用いて、画像をダウンロードすべき旨の指示がなされ、ＰＣ７によって、第二のＡＰ８に対し、ネットワーク２へのアクセスが試みられる（ステップＳ３３）。
【００９０】
次いで、第二のアクセス管理装置９によって、図９に示されたステップＳ６ないしＳ８と同様にして、第二のＡＰサービス事業者の会員登録を行っているユーザーであるか否かの判定処理、ＩＰアドレスの付与処理、および、画像保存装置６へのＩＰアドレスの送信処理が、順次、実行される（ステップＳ３４ないしＳ３６）。
【００９１】
次いで、第二のアクセス管理装置９によって、図９に示されたステップＳ１０と同様にして、アクセス履歴データが生成され、第二のアクセス管理装置９のＨＤに記録されているアクセス履歴ＤＢに登録される（ステップＳ３７）。
【００９２】
次いで、ＰＣ７のＣＰＵ７３によって、ＰＣ７のＨＤ７６に記録されている画像管理ＤＢから、ダウンロードを希望する画像の画像管理データが読み出され、読み出された画像管理データが、画像をダウンロードすべき旨のダウンロード指示信号とともに、ネットワーク２を介して、画像保存装置６に送信される（ステップＳ３８）。
【００９３】
次いで、画像保存装置６によって、ＰＣ７から送信された画像管理データおよびダウンロード指示信号が受信されるとともに、画像管理データおよびダウンロード指示信号に基づいて、画像保存装置６のＨＤ６５に記録された画像登録履歴ＤＢの内容が更新される（ステップＳ３９およびＳ４０）。
【００９４】
画像登録履歴ＤＢの内容を更新するにあたっては、図１２に示されるように、利用履歴情報の２番目のレコードに、処理情報の値が「ダウンロード」を示す値に設定され、日時情報の値がダウンロード日時を示す値に設定されたデータが追加される。
【００９５】
こうして画像登録履歴ＤＢの更新処理が終了すると、画像保存装置６によって、課金処理が実行される（ステップＳ４１）。
【００９６】
図１３は、課金処理のサブルーチンを示すフローチャートである。
【００９７】
図１３に示されるように、課金処理を実行するにあたっては、まず、画像保存装置６によって、ＰＣ７から送信された画像管理データに含まれる画像ＩＤ情報に基づいて、ユーザーがダウンロードを希望している画像が特定される（ステップＳ１０１）。
【００９８】
次いで、画像保存装置６のＨＤ６５に記録された画像登録履歴ＤＢから、ステップＳ１０１で特定された画像ＩＤを有する画像登録データが読み出され、その画像登録データに含まれるＩＰアドレス情報に基づいて、暗号化データを画像保存装置６に保存する際に用いられたＩＰアドレスが特定される（ステップＳ１０２）。
【００９９】
次いで、ステップＳ１０２で特定されたＩＰアドレスと、画像保存装置６のＨＤ６５に記録されているＩＰアドレスＤＢとが比較され、暗号化データを画像保存装置６に保存する際に用いられたＡＰが特定される（ステップＳ１０３）。本実施形態においては、画像保存装置６に暗号化データを送信するに際し、ユーザーは、第一のＡＰ４を経由してネットワーク２にアクセスしているため、第一のＡＰ４が、暗号化データを画像保存装置６に保存する際に用いられたＡＰとして特定される。
【０１００】
暗号化データを保存する際に用いられたＡＰとして第一のＡＰ４が特定されると、画像保存装置６から第一のアクセス管理装置５に向けて、ステップＳ１０２で特定されたＩＰアドレスが送信されるとともに、そのＩＰアドレスを用いたユーザーが、第一のＡＰサービス事業者の会員であるか否かを問い合わせる旨の問い合わせ信号が送信される（ステップＳ１０４）。
【０１０１】
次いで、第一のアクセス管理装置５によって、画像保存装置６から送信されたＩＰアドレスと、第一のアクセス管理装置５のＨＤ５５に記録されたアクセス履歴ＤＢとが対比され、暗号化データのダウンロードを要求しているユーザーが、第一のＡＰサービス事業者の会員であるか否かが判定される（ステップＳ１０５）。判定結果は、ネットワーク２を介して、第一のアクセス管理装置５から画像保存装置６に向けて送信される。
【０１０２】
判定の結果、画像保存装置６に暗号化データを保存したユーザーが、第一のＡＰサービス事業者の会員でなかった場合には、画像保存装置６によって、画像保存装置６に記録された暗号化データをダウンロードするのに要するダウンロード料に、第一のＡＰ４を使用したＡＰ使用料が加算され、合計額が手続費用として決定される。
【０１０３】
次いで、画像保存装置６によって、手続費用の支払いを請求する旨の通知がＰＣ７に送信され（ステップＳ１０７）、ＰＣ７の表示部７８に、手続費用の額に了承して、ダウンロード手続を実行するか否かの問い合わせメッセージが表示される（ステップＳ１０８）。
【０１０４】
その結果、ユーザーが、手続費用の額に了承せず、ダウンロード手続を中止する旨を入力した場合には、図１１のステップＳ４０において、画像登録データの利用履歴情報の２番目のレコードに追加された処理情報および日時情報が削除される（ステップＳ１０９）。こうして、画像登録履歴ＤＢの内容が、ダウンロード要求を受ける前の画像登録履歴ＤＢの内容、すなわち、図７に示される画像登録履歴ＤＢの内容と同一の内容に書き換えられ、その後は、暗号化データのダウンロードは実行されず、ダウンロード処理が終了する。
【０１０５】
これに対して、ユーザーが、手続費用の額に了承し、ダウンロード手続を実行する旨を入力した場合には、画像保存装置６から口座管理装置１０に向けて、ユーザーの口座から保存サービス事業者の口座への手続費用の振り込みを指示する信号が送信される。その後、口座管理装置１０によって、ユーザーの口座から保存サービス事業者の口座に、手続費用が振り込まれ、支払い処理が実行される（ステップＳ１１０）。
【０１０６】
次いで、画像保存装置６から口座管理装置１０に向けて、保存サービス事業者の口座から第一のＡＰサービス事業者の口座へのＡＰ使用料の振り込みを指示する信号が送信され、口座管理装置１０によって、保存サービス事業者の口座から第一のＡＰサービス事業者の口座に、ＡＰ使用料が振り込まれて、分配処理が実行される（ステップＳ１１１）。
【０１０７】
こうして、支払い処理および分配処理が終了すると、画像保存装置６からＰＣ７に向けて、支払い手続が完了した旨を示すデータが送信され、ＰＣ７の表示部７８に、支払い手続が完了した旨のメッセージが表示される（ステップＳ１１２）。
【０１０８】
一方、画像保存装置６に暗号化データを記録したユーザーが、第一のＡＰサービス事業者の会員であった場合には、ダウンロード料のみが手続費用として決定されるとともに、ダウンロードを実行するか否かの問い合わせメッセージが、ＰＣ７の表示部７８に表示される（ステップＳ１１３およびＳ１１４）。
【０１０９】
ユーザーが、手続費用の額に了承せず、ダウンロード手続を中止する旨を入力した場合には、ステップＳ１０９と同様にして、画像登録データの利用履歴情報の２番目のレコードに追加されたデータが削除されて、ダウンロード処理が終了する（ステップＳ１１５）。これに対して、ユーザーが、手続費用の額に了承し、ダウンロード手続を実行する旨を入力した場合には、ステップＳ１１０と同様にして、支払い処理が実行され、ユーザーの口座から保存サービス事業者の口座に、手続費用が振り込まれる（ステップＳ１１６）。
【０１１０】
こうして課金処理が終了すると、図１１に示されるように、画像保存装置６によって、ユーザーがダウンロードを要求している画像の暗号化データが画像保存装置６のＨＤ６５から読み出され、ネットワーク２および第二のＡＰ８を介して、ＰＣ７に送信される（ステップＳ４２）。
【０１１１】
次いで、ＰＣ７によって、デジタルカメラ３と有線接続されたときに送信された暗号化鍵を用いて、暗号化データが復号化され、画像データが再生される（ステップＳ４３）。最後に、再生された画像データに基づいて、ＰＣ７の表示部７８に画像が表示され、こうして、デジタルカメラ３で撮影した画像を観賞することが可能な状態となる。
【０１１２】
以上のように、本実施形態においては、暗号化データを保存したユーザーが、どのＡＰを用いて暗号化データを画像保存装置６に送信したかを特定するとともに、使用したＡＰを管理するＡＰサービス事業者の会員であるか否かを特定し、さらに、課金処理に際し、ユーザーが、そのＡＰサービス事業者の会員でない場合には、ＡＰ使用料をＡＰサービス事業者に支払うように構成されている。このため、ＡＰサービス事業者は、ＡＰサービス事業者の会員でないユーザーがＡＰを使用しても、その使用料を回収することが可能になり、また、保存サービス事業者は、ネットワーク２への接続可能エリアを限定しない画像保存サービスをユーザーに提供することが可能になる。したがって、ユーザーは、利用可能性のあるエリアを事前にピックアップしておかなくても、好きな接続エリアから自由に暗号化データを画像保存装置６に保存することが可能になる。また、数多くのＡＰサービス事業者とインターネット契約を結ばなくても、保存サービス事業者と画像保存サービス契約を結んでおけば、自由に暗号化データを画像保存装置６に保存することができるため、ユーザーの経済的負担を軽くすることも可能である。
【０１１３】
また、本実施形態においては、デジタルカメラ３によって画像データが生成されたときに、低解像度データと暗号化データを生成するとともに、暗号化データを画像保存装置６に送信した後は、デジタルカメラ３の内部メモリ３８から暗号化データを削除し、低解像度データのみを記録するように構成されている。とくに、低解像度データは、原画像データを間引きして生成するデータであるため、原画像データや暗号化データに比して、データ容量が非常に小さく、したがって、デジタルカメラ３の内部メモリ３８の記憶容量を、大幅に節約することが可能になる。
【０１１４】
さらに、本実施形態においては、画像保存装置６には、原画像データを送信せず、暗号化データを送信するようにしているので、画像保存装置６に、原画像データが記録されることはなく、したがって、権限のない第三者によって、デジタルカメラ３で撮影された画像が観賞されることを防止することができる。
【０１１５】
本発明は、以上の実施形態に限定されることなく、特許請求の範囲に記載された発明の範囲内で種々の変更が可能であり、それらも本発明の範囲内に包含されるものであることはいうまでもない。
【０１１６】
例えば、前記実施形態にかかる画像保存システム１においては、画像保存装置６は、デジタルカメラ３で生成された画像データを画像保存装置６に送信するときに用いられたＡＰが、会員登録を行っているＡＰサービス事業者が管理するＡＰであるか否かを特定し、課金処理を実行するように構成されているが、画像保存装置６に保存された暗号化データをダウンロードするときに用いられたＡＰが、会員登録を行っているＡＰサービス事業者が管理するＡＰであるか否かを特定し、課金処理を実行するように構成されてもよい。
【０１１７】
また、前記実施形態にかかる画像保存システム１においては、画像保存装置６に保存された暗号化データのダウンロードが要求されたときに、課金処理を実行するようにしているが、ダウンロードが要求されたときに代えて、あるいは、ダウンロードが要求されたときに加えて、画像保存装置６への画像データの保存が要求されたときに、課金処理を実行するように構成されてもよい。
【０１１８】
さらに、前記実施形態にかかる画像保存システム１においては、デジタルカメラ３によって画像データが生成されるように構成されているが、画像データを生成する画像生成手段は、必ずしもデジタルカメラである必要はなく、スキャナや、画像編集プログラムがインストールされたＰＣなどのデジタルカメラ以外のものであってもよい。
【０１１９】
また、前記実施形態にかかる画像保存システム１においては、デジタルカメラ３は、低解像度データを生成し、内部メモリ３８に記録するように構成されているが、低解像度データに代えて、表示サイズを縮小して表示するサムネイル表示用のサムネイル画像データを生成し、サムネイル画像データを内部メモリ３８に記録するように構成されてもよい。
【０１２０】
さらに、前記実施形態にかかる画像保存システム１においては、デジタルカメラ３は、画像データを暗号化し、暗号化データを画像保存装置６に送信するように構成されているが、必ずしも暗号化データを生成する必要はなく、撮影によって得られた画像データを、そのまま、画像保存装置６に送信するように構成されてもよい。
【０１２１】
また、前記実施形態にかかる画像保存システム１においては、デジタルカメラ３は、低解像度データおよび暗号化データを内部メモリ３８に記録するように構成されているが、内部メモリ３８に代えて、メモリカードなどの外付けのリムーバブル記録メディアに記録するように構成されてもよい。
【０１２２】
さらに、前記実施形態にかかる画像保存システム１においては、画像保存装置６に保存された暗号化データを、ＰＣ７にダウンロードするように構成されているが、画像を表示することができれば、暗号化データをダウンロードする機器はＰＣ以外の機器であってもよく、画像保存装置６に暗号化データを送信したデジタルカメラ３自身に、画像保存装置６に保存された暗号化データをダウンロードするようにしてもよい。
【０１２３】
また、前記実施形態においては、無線ＬＡＮを介して、デジタルカメラ３およびＰＣ７がネットワーク２に接続された画像保存システムにつき、説明を加えているが、本発明は、無線ＬＡＮを利用して、画像データを送受信する画像保存システムに限定されるものではなく、例えば、有線ＬＡＮを介して、デジタルカメラ３およびＰＣ７がネットワーク２に接続された画像保存システムのように、広く、ＡＰを経由してネットワーク２にアクセスし、画像データを送受信する画像保存システムに適用することができる。
【図面の簡単な説明】
【０１２４】
【図１】本発明の好ましい実施形態にかかる画像保存システムの構成を示すブロックダイアグラムである。
【図２】図１に示されたデジタルカメラの構成を示すブロックダイアグラムである。
【図３】画像管理ＤＢ記録エリアに記録されている画像管理ＤＢを示す模式図である。
【図４】図１に示された第一のアクセス管理装置および第二のアクセス管理装置の構成を示すブロックダイアグラムである。
【図５】アクセス履歴ＤＢ記録エリアに記録されているアクセス履歴ＤＢを示す模式図である。
【図６】図１に示された画像保存装置の構成を示すブロックダイアグラムである。
【図７】画像登録履歴ＤＢ記録エリアに記録されている画像登録履歴ＤＢを示す模式図である。
【図８】図１に示されたＰＣの構成を示すブロックダイアグラムである。
【図９】デジタルカメラによって撮影された画像を、画像保存装置に保存するメインルーチンを示すフローチャートである。
【図１０】画像管理ＤＢ記録エリアに記録されている画像管理ＤＢを示す模式図である。
【図１１】画像保存装置に保存された暗号化データを、ＰＣにダウンロードするメインルーチンを示すフローチャートである。
【図１２】画像登録履歴ＤＢ記録エリアに記録されている画像登録履歴ＤＢを示す模式図である。
【図１３】課金処理のサブルーチンを示すフローチャートである。
【符号の説明】
【０１２５】
１  画像保存システム
２  ネットワーク
３  デジタルカメラ
４  第一のＡＰ
５  第一のアクセス管理装置
６  画像保存装置
７  ＰＣ
８  第二のＡＰ
９  第二のアクセス管理装置
１０  口座管理装置
３１  撮像部
３２  信号処理部
３３、７１  第一の通信部
３４、５７、６７、７８  表示部
３５、５３、６３、７３  ＣＰＵ
３６、５２、６２、７２  ＲＯＭ
３７、５４、６４、７４  ＲＡＭ
３８  内部メモリ
３８ａ、７６ａ  画像記録エリア
３８ｂ、７６ｂ  画像管理ＤＢ記録エリア
３９  操作部
４０、７５  第二の通信部
５１、６１  通信部
５５、６５、７６  ＨＤ
５５ａ  アクセス履歴ＤＢ記録エリア
５６、６６、７７  入力インターフェース
６５ａ  暗号化データ記録エリア
６５ｂ  画像登録履歴ＤＢ記録エリア
６５ｃ  ＩＰアドレスＤＢ記録エリア
【図１】
2007174056.tif 000003
【図２】
2007174056.tif 000004
【図３】
2007174056.tif 000005
【図４】
2007174056.tif 000006
【図５】
2007174056.tif 000007
【図６】
2007174056.tif 000008
【図７】
2007174056.tif 000009
【図８】
2007174056.tif 000010
【図９】
2007174056.tif 000011
【図１０】
2007174056.tif 000012
【図１１】
2007174056.tif 000013
【図１２】
2007174056.tif 000014
【図１３】
2007174056.tif 000015